(57)【要約】【課題】組み合わせ式蛇口構造を提供する。【解決手段】本発明が提供する組み合わせ式蛇口構造は、殻体および殻体の下方に結合される底板から構成される外殻を含み、外殻内部には水制御バルブ受けを固定し、前記水制御バルブ受けは、一体に形成されてなり、水制御バルブ受け上には、収容空間を設けてなり、水制御バルブを収容し、前記水制御バルブの上方には、操作把手を連結し、操作把手の制御により、水流を水制御バルブ受けの給水端から吸入し、吐水端から外部へ吐水させる。単一把手式の湯水混合蛇口に適用することができる。【選択図】図１
2008169581.tif 000002
【特許請求の範囲】
【請求項１】
殻体および殻体下方に結合する底板を含む外殻と、
水制御バルブ受けであり、一体に成型され、前記水制御バルブ受けは、外殻内部に固定さ
れ、前記水制御バルブ受けは、収容空間を設けてなり、前記収容空間は、水制御バルブ受
けに設ける給水端と吐水端を連通させる水制御バルブ受けと、
水制御バルブであり、水制御バルブ受けの収容空間中に収容され、前記水制御バルブの上
端には、操作把手を結合し、前記操作把手は、外殻の上方に突出し、水流を制御し水制御
バルブ受けの吐水端から外部へ吐水させる水制御バルブと
を含む組み合わせ式蛇口構造。
【請求項２】
前記外殻の殻体内部には、固定部を設けてなり、水制御バルブ受けには、結合部を設けて
なり、水制御バルブ受けと殻体とを相互に結合させたことを特徴とする請求項１記載の組
み合わせ式蛇口構造。
【請求項３】
前記外殻の殻体内部には、前固定部を設けてなり、水制御バルブ受けの吐水端を定位させ
たことを特徴とする請求項１記載の組み合わせ式蛇口構造。
【請求項４】
前記前固定部は、３つの凸リブから構成されていることを特徴とする請求項３記載の組み
合わせ式蛇口構造。
【請求項５】
前記水制御バルブ受けの上方には、内ねじ山を設けてなり、操作把手の下方には外ねじ山
を具えたナットを設けてなり、相互に螺合させ、水制御バルブを水制御バルブ受けの収容
空間中に固定させたことを特徴とする請求項１記載の組み合わせ式蛇口構造。
【請求項６】
前記底板は、第１および第２通孔を有し、それぞれ水制御バルブ受けの給水端および吐水
端を下に向かって突出させたことを特徴とする請求項１記載の組み合わせ式蛇口構造。
【請求項７】
前記水制御バルブ受けは、ガラス繊維材質から製作されていることを特徴とする請求項１
記載の組み合わせ式蛇口構造。
【発明の詳細な説明】
【技術分野】
【０００１】
本発明は、組み合わせ式蛇口構造に関し、特に、蛇口の外殻内部に湯水の混合比や流量
を制御する水制御バルブ受けを固定し、水制御バルブ受けが一体に成型される構造により
、蛇口の重量を軽減し、運搬および実装に有利であり、単一把手（シングルレバー）式湯
水混合蛇口に適用できる組み合わせ式蛇口構造に関する。
【背景技術】
【０００２】
図４は、公知の単一把手式の湯水混合蛇口であり、銅合金本体ａを含み、その内部には
バルブ体（図示せず）を設けてなり、バルブ体と本体ａが寄り合って配置され、水流の管
路を形成し、バルブ体ａの上端の操作把手ａ１の制御により、湯水をそれぞれ給水端ａ２
から流入させ、吐水端ａ３から流出させる。
【０００３】
上記蛇口の本体ａは、銅合金により鋳造され、外表面に電気鍍金してなり、使用寿命は
比較的長いが、大量の銅金属を使用する必要があり、コスト上、相当な浪費であり、地球
の資源を消費し、経済的および環境的な需要に適合していない。更に、本体は、必要な水
流通路以外に、その残りの部分の多くが実際には銅合金であり、全体的な重量を増加させ
、搬送および実装に不利である。
【０００４】
上記の欠陥に基づき、業界は蛇口の設計において更に進んだ方法を提出している。図５
に示すように、ガラスを利用し射出成型する方式でそれぞれバルブ受けｂと、吐水管受け
ｂ１と、２つの密封部材ｂ２と、底蓋ｂ３とを製作し、金属カバーｂ４を合わせ、組み合
わせシャワー用の蛇口を形成する。
【０００５】
上記の方式により、確実に蛇口の重量を軽減でき、運搬および実装に有利となる。但し
、蛇口の主体部分は、各部材を組み合わせてなり、材料の使用は節約されるが、多くの部
材の構成は、鋳造金型および組み立て時の人件費を増加させ、全体の利益効果は、理想に
不十分である；上記構造の各部材は、それぞれガラス射出成型した後に組み立てられ、実
際の使用時に水がしみ込む現象が起こり易く；更に、上記構造は、シャワー用の蛇口の設
計であり、洗面用の蛇口構造に対して実質的な補助を提供することができない。
【特許文献１】特開平１０−５４４６６号公報
【特許文献２】特開平１１−８２７９３号公報
【発明の開示】
【発明が解決しようとする課題】
【０００６】
本発明の目的は、組み合わせ式蛇口を提供することにあり、それに設ける水制御バルブ
受けは、一体に成型してなり、製造および組み立てのコストを削減し、蛇口の重量を軽減
し、搬送および実装を有利にする。
【０００７】
本発明のもう１つの目的は、固定構造により一体に成型された水制御バルブ受けを蛇口
外殻の内部に固定し、水制御バルブ受けを確実に定位させることができる組み合わせ式蛇
口構造を提供することにある。
【０００８】
本発明のもう１つの目的は、組み合わせ式蛇口を提供することにあり、それに設ける外
殻は、殻体および底板から構成され、殻体が、異なる造型により大きくなる時、水制御バ
ルブ受けも比例して大きくなる必要がなく、カンチレバーの長さを延伸させるだけでよく
、コストを大幅に低減させ、外殻の造型に柔軟性を持たせることができる。
【課題を解決するための手段】
【０００９】
上記の目的を達成するため、本発明が設ける組み合わせ式蛇口構造は、外殻と、水制御
バルブ受けと、水制御バルブと、操作把手とを含む。そのうち、前記外殻は、殻体と、殻
体下方に結合する底板とを含む。前記水制御バルブ受けは、一体に成型してなり、前記水
制御バルブ受けは外殻内部に固定され、前記水制御バルブ受けは収容空間を有し、前記収
容空間は、水制御バルブ受けが設ける給水端および吐水端と連通する。前記水制御バルブ
は、水制御バルブ受けの収容空間中に収容され、前記水制御バルブの上端は、操作把手と
接続し、前記操作把手は、外殻の上方に突出し、水流を制御し水制御バルブ受けの吐水端
から外部へ吐水する。
【００１０】
すなわち、本考案は下記のとおりの構造を有することを特徴とする。
（１）殻体および殻体下方に結合する底板を含む外殻と、
水制御バルブ受けであり、一体に成型され、前記水制御バルブ受けは、外殻内部に固定さ
れ、前記水制御バルブ受けは、収容空間を設けてなり、前記収容空間は、水制御バルブ受
けに設ける給水端と吐水端を連通させる水制御バルブ受けと、
水制御バルブであり、水制御バルブ受けの収容空間中に収容され、前記水制御バルブの上
端には、操作把手を結合し、前記操作把手は、外殻の上方に突出し、水流を制御し水制御
バルブ受けの吐水端から外部へ吐水させる水制御バルブと
を含む組み合わせ式蛇口構造。
【００１１】
（２）前記外殻の殻体内部には、固定部を設けてなり、水制御バルブ受けには、結合部を
設けてなり、水制御バルブ受けと殻体とを相互に結合させたことを特徴とする上記（１）
記載の組み合わせ式蛇口構造。
【００１２】
（３）前記外殻の殻体内部には、前固定部を設けてなり、水制御バルブ受けの吐水端を定
位させたことを特徴とする上記（１）記載の組み合わせ式蛇口構造。
（４）前記前固定部は、３つの凸リブから構成されていることを特徴とする上記（３）記
載の組み合わせ式蛇口構造。
【００１３】
（５）前記水制御バルブ受けの上方には、内ねじ山を設けてなり、操作把手の下方には外
ねじ山を具えたナットを設けてなり、相互に螺合させ、水制御バルブを水制御バルブ受け
の収容空間中に固定させたことを特徴とする上記（１）記載の組み合わせ式蛇口構造。
（６）前記底板は、第１および第２通孔を有し、それぞれ水制御バルブ受けの給水端およ
び吐水端を下に向かって突出させたことを特徴とする上記（１）記載の組み合わせ式蛇口
構造。
（７）前記水制御バルブ受けは、ガラス繊維材質から製作されていることを特徴とする上
記（１）記載の組み合わせ式蛇口構造。
【発明の効果】
【００１４】
１、本発明が設ける水制御バルブ受けは、一体に成型されてなり、外殻と組み合わせ蛇
口の重量を大幅に軽減でき、材料コストを削減できるだけではなく、搬送および実装に有
利である。
２、本発明が設ける水制御バルブ受けは、単一ユニットであり、開梱および組み立ての
時、公知の多くの部材を有する蛇口構造に比べてコストを節約し、水がしみ込む問題が生
じない。
３、本発明が設ける外殻は、異なる造型により大きくすることができ、一体に成型され
た水制御バルブ受けがカンチレバーの長さを延伸するだけでよく、使用時に相当な柔軟性
を有する。
４、本発明は、使用時、固定構造により、一体に成型された水制御バルブ受けを蛇口外
殻の内部に固定し、組み立てが相当容易であり、水制御バルブ受けを確実に定位させるこ
とができる。
【発明を実施するための最良の形態】
【００１５】
図１〜図３は、本発明の組み合わせ式蛇口構造１の好適な実施例であり、外殻２と、水
制御バルブ受け３と、湯水の混合比や流量を制御したりする水制御バルブ４と、操作把手
５とを含み、前記外殻２は、殻体６と、底板７とを含む。
【００１６】
前記殻体６は、外表面を電気鍍金処理した銅合金、ステンレス鋼または陶磁器から製作
され、その後端部６１の上方は、開口６２を有し、前端部６３は、外部に向かって突出し
、カンチレバーに類似した構造を形成し、前記殻体６の前後端部（６１，６３）の下方は
、大開口６４を形成し、底板７を上に向かって嵌合固定させる。
【００１７】
また、前記殻体６の内部は、複数の螺子孔６５１を設け、固定部６５としてなる。殻体
６の前端部６３の内側には、３個の凸リブ６６１を設けてなり、前固定部６６としてなる
。
【００１８】
前記水制御バルブ受け３は、一体に成型した構造であり、その材質は、ガラス繊維であ
り、ガラス射出成型により製作することができる。前記水制御バルブ受け３は、上方に内
螺子山を有した収容空間３１を設けてなり、前記水制御バルブ受け３の下方には、給水端
３２を設けてなり、前記水制御バルブ受け３の一側には、カンチレバー３３を突出し、前
記カンチレバー３３内には、管道３４を設けてなり、管道３４の一端には、吐水端３５を
設けてなる。
【００１９】
上記収容空間３１と、給水端３２と、吐水端３５とは相互に連通する。また、前記水制
御バルブ受け３の外部には、複数の凸耳３６１を有し、結合部３６としてなり、前記凸耳
３６１は、それぞれ通孔３７を設けてなる。水制御バルブ３のカンチレバー３３の一端（
吐水端）は、殻体６の前端部６３の内側の３個の凸リブ６６１の間に固定され、螺子によ
り凸耳３６１の貫通孔３７および殻体６内部の螺子孔６５１を通した後、水制御バルブ受
け３を殻体６と確実に結合させることができる。
【００２０】
前記水制御バルブ４は、円柱形体であり、その大部分の体積は、水制御バルブ受け３の
収容空間３１中に収容され、上下通孔を有するナット４１により螺合され、操作把手５を
外殻２の殻体６の後端部６１の開口６２上方に突出させる。また、前記水制御バルブ４の
内部には、管道（図示せず）を設けてなり、操作把手５を引く時、水流を制御し水制御バ
ルブ受け３の給水端３２から進入させ、吐水端３５から外部へ吐水させる（上記水流制御
の技術は、ここでは更には記載しない。）
【００２１】
前記底板７は、薄片状を呈し、その板面の前後には、それぞれ第１および第２通孔（７
１，７２）を設けてなり、それぞれ水制御バルブ受け３の給水端３２および吐水端３５を
下に向かって突出させる。前記底板７の大きさ、形状は、殻体６の下方の大開口上に合わ
せて結合でき、殻体６は、組み込み位置の違いにより、異なる規格の造型または寸法を採
用する時、底板７は、同時に拡大させることができ、使用上相当な柔軟性を有する。
【００２２】
なお、本発明では好ましい実施例を前述の通り開示したが、これらは決して本発明に限定
するものではなく、当該技術を熟知する者なら誰でも、本発明の精神と領域を脱しない均
等の範囲内で各種の変動や潤色を加えることができることは勿論である。
【図面の簡単な説明】
【００２３】
【図１】本発明の実施例のユニット分解図である。
【図２】本発明の実施例の組み合わせ断面図である。
【図３】本発明の実施例の殻体の上面図である。
【図４】公知の１つの把手を用いた湯水混合蛇口の組み合わせ断面図である。
【図５】公知のシャワー用蛇口のユニット分解図である。
【符号の説明】
【００２４】
１ 組み合わせ式蛇口構造
２ 外殻
３ 水制御バルブ受け
３１ 収容空間
３２ 給水端
３３ カンチレバー
３４ 管道
３５ 吐水端
３６ 結合部
３６１ 凸耳
３７ 貫通孔
４ 水制御バルブ
４１ ナット
５ 操作把手
６ 殻体
６１ 後端部
６２ 開口
６３ 前端部
６４ 大開口
６５ 固定部
６５１ 螺子孔
６６ 前固定部
６６１ 凸リブ
７ 底板
７１ 第１通孔
７２ 第２通孔
ａ バルブ体
ａ１ 操作把手
ａ２ 給水端
ａ３ 吐水端
ｂ バルブ受け
ｂ１ 吐水管受け
ｂ２ 密封部材
ｂ３ 底蓋
ｂ４ カバー
【図１】
2008169581.tif 000003
【図２】
2008169581.tif 000004
【図３】
2008169581.tif 000005
【図４】
2008169581.tif 000006
【図５】
2008169581.tif 000007